(57)【要約】【課題】遊技店への貢献度に応じて会員にサービスポイントを付与することができ、これにより、会員が満足するようなサービスを提供でき、会員の来店回数を増加させることができる会員管理装置とする。【解決手段】遊技者にとって有利な特別遊技状態を発生可能に構成された遊技機１００が複数設置される遊技店において会員として登録された遊技者を管理する会員管理装置１である。会員登録された遊技者に対して、遊技店におけるサービスの提供に関連したサービスポイントを付与するサービスポイント付与手段を備え、サービスポイント付与手段は、サービスポイントの付与対象となる会員登録された遊技者の固有条件に応じてサービスポイントの付与態様を変更するサービスポイント付与態様変更手段を含んでいる。【選択図】        図１６
2004305376.tif 000002
【特許請求の範囲】
【請求項１】
遊技者にとって有利な特別遊技状態を発生可能に構成された遊技機が複数設置される遊技店において会員として登録された遊技者を管理する会員管理装置において、
会員登録された遊技者に対して、遊技店におけるサービスの提供に関連したサービスポイントを付与するサービスポイント付与手段を備え、
前記サービスポイント付与手段は、サービスポイントの付与対象となる会員登録された遊技者の固有条件に応じてサービスポイントの付与態様を変更するサービスポイント付与態様変更手段を含んでいることを特徴とする会員管理装置。
【請求項２】
前記サービスポイント付与態様変更手段は、会員による単位時間当たりの遊技媒体の消費量に応じてサービスポイントの付与態様を変更することを特徴とする請求項１に記載の会員管理装置。
【請求項３】
前記サービスポイント付与手段は、
会員の遊技店への来店に応じてサービスポイントとしての来店ポイントを付与する来店ポイント付与手段と、
会員の遊技中における所定条件の成立によりサービスポイントとしての遊技ポイントを付与する遊技ポイント付与手段と、
を有し、
前記サービスポイント付与態様変更手段は、所定期間において前記来店ポイント付与手段により付与された来店ポイント数に応じて、前記遊技ポイント付与手段による遊技ポイントの付与態様を変更することを特徴とする請求項１又は２に記載の会員管理装置。
【請求項４】
前記遊技ポイント付与手段は、前記所定条件を成立させるための遊技情報を記憶する記憶手段を有し、会員が一旦当該会員管理装置と非アクセス状態となった場合でも前記記憶手段に途中遊技情報を記憶させ、会員が再び当該会員管理装置とアクセス状態となった場合には前記記憶手段に記憶されている途中遊技情報を用いて前記所定条件の成立を監視するようにしたことを特徴とする請求項３に記載の会員管理装置。
【請求項５】
前記遊技機は、
複数の識別情報を変動表示可能な変動表示装置と、
前記変動表示装置での変動表示を伴うゲームの実行毎に特別入賞を内部的に抽選する抽選手段と、
前記抽選手段の抽選結果により特別入賞が当選していることを条件に実行されたゲームにおいて、特定条件が成立した場合に当該特別入賞を成立し得るようにする特別入賞成立可能化手段と、
を有するパチスロ遊技機であり、
前記サービスポイント付与態様変更手段は、前記当選している特別入賞を成立させるまでの浪費に応じてサービスポイントの付与態様を変更することを特徴とする請求項１〜４のいずれか一項に記載の会員管理装置。
【請求項６】
前記会員管理装置は、
前記遊技機の近傍に配設され、会員が保有する会員記憶媒体から会員特定情報を取得する端末装置と、
複数の端末装置からの情報を受信する中央管理装置と、
から構成されていることを特徴とする請求項１〜５のいずれか一項に記載の会員管理装置。
【発明の詳細な説明】
【０００１】
【発明の属する技術分野】
本発明は、会員管理装置に関する。
【０００２】
【従来の技術】
近年、パチンコ遊技機やパチスロ遊技機等の遊技機が多数設置されている遊技店において、遊技店に来店する遊技者を会員として登録して管理するシステムを導入することが多くなっている。
会員として登録された遊技者には、遊技店側から各種サービスが提供されるが、このサービスが多くの遊技者の望むようなものであれば、遊技者の来店回数が増加し、遊技店の売り上げが向上する。つまり、遊技者と遊技店との双方にメリットが生ずるものとなる。
【０００３】
従来の会員管理システムにおいては、会員として登録された遊技者（以下、単に会員ということがある。）に磁気カードやＩＣカード等からなる会員カード（会員記録媒体）を発行して、上記サービスの提供に関する管理を行っている。
例えば、遊技店内にサービスポイントの付加端末装置を設置し、会員が来店毎に会員カードを挿入すると、サービスポイント（来店ポイント）が加算され、このサービスポイント数に応じて各種サービスを受けることが可能となるものがある。
また、最近では、遊技機毎にその近傍に端末装置を設置して、この端末装置に会員カードを挿入しながら遊技を行えるように構成し、会員の遊技時間や遊技に使用した金額に応じてサービスポイント（遊技ポイント）を付加するものも考えられている（例えば、特許文献１参照。）。
【０００４】
そして、会員は、保持するサービスポイント数に応じて、例えば、各種ドリンクが無料提供されるサービスを受けたり、遊技機で大当たりが発生した際に獲得した遊技媒体（遊技球或いはメダル等）を、大当たりが終了してから一旦景品に交換することなく、そのまま遊技媒体を使用して再遊技が許可されるサービスを受けたり、或いは、次の日に遊技を希望する遊技機の予約ができるサービスを受けたりする等が可能となる。
【０００５】
【特許文献１】
特開２０００−９９８３１号公報
【０００６】
【発明が解決しようとする課題】
ところで、従来の会員管理システムでは、サービスポイントの付与条件が、全ての会員に対して一定であった。すなわち、上記したように遊技時間によりサービスポイント（遊技ポイント）を付与する場合には、例えば、どんな会員に対しても、会員カードを挿入してから２時間経過した時点で１ポイント付与するというような制御を行っていた。
【０００７】
これに対して遊技店には、パチスロ遊技機などの、遊技者の遊技に対する熟練度等に応じて単位時間当たりのゲームの実行回数（すなわち、使用した遊技媒体量）に差が出るものもある。すなわち、遊技に慣れた遊技者ほど、コインの投入や目押し操作等のスピードが速くなるため、単位時間当たりのゲーム実行回数が増加することとなる。
【０００８】
ここで遊技店においては、１日の営業時間が限られているため、この限られた営業時間内に多数のゲームを実行できる会員の方が、より営業に貢献度が高い会員となる。そのため、このような会員により大きなサービスを提供して再来店してもらいたいと考えるのが普通である。
しかしながら、このような遊技機で遊技する会員に対して、上記従来のように、遊技時間に応じて一定のサービスポイントを付与した場合には、遊技の速さに対してはサービスポイントは付与されないこととなり、より貢献度の高い会員に対して優遇したサービスポイントの付与形態とはいえない。
【０００９】
さらに、遊技店に来店する会員には、頻繁に来店する会員と、時々しか来店しない会員が存在するが、従来はこれらの会員に対して、同じ条件でサービスポイントを付与していた。来店回数が多い会員は来店ポイントが増加することとなるが、来店ポイントは例えば１日１ポイントと一定であり、これだけでは遊技店への貢献度に対して相応とはいえず来店回数の高い会員に対して優遇しているとはいえない。
一方で、このような来店回数の多い会員に対して優遇するために来店ポイントを増加させる（すなわち、１日数ポイントに増加させる）ことも考えられるが、このようにしてしまうと、遊技をしなくても来店しただけで来店ポイントが付与されてしまうといった別の問題が発生する。
【００１０】
この発明は、上記のような問題点を解決するためになされたもので、遊技店への貢献度に応じて会員にサービスポイントを付与することができ、これにより、会員が満足するようなサービスを提供でき、会員の来店回数を増加させることができる会員管理装置を提供することを目的とする。
【００１１】
【課題を解決するための手段】
上記課題を解決するため、
請求項１に記載の発明は、
遊技者にとって有利な特別遊技状態を発生可能に構成された遊技機が複数設置される遊技店において会員として登録された遊技者を管理する会員管理装置において、
会員登録された遊技者に対して、遊技店におけるサービスの提供に関連したサービスポイントを付与するサービスポイント付与手段を備え、
前記サービスポイント付与手段は、サービスポイントの付与対象となる会員登録された遊技者の固有条件に応じてサービスポイントの付与態様を変更するサービスポイント付与態様変更手段を含んでいることを特徴としている。
【００１２】
ここで、「遊技機」には、パチンコ遊技機、アレンジボール遊技機、雀球遊技機などの弾球遊技機や、パチスロ遊技機などのスロットマシン等が含まれる。
また、「サービス」としては、新装開店時の優先入場サービス、ドリンク提供サービス、高設定台での遊技サービス、景品交換率の変更（交換率ＵＰ）、遊技データ開示サービスなどが挙げられる。
さらに、「会員登録された遊技者の固有条件」とは、会員登録された遊技者（会員）の遊技内容（遊技スピード、遊技結果など）、会員の来店態様（来店回数、来店傾向など）等の会員の特徴で会員毎に異なる条件をいう。
またさらに、「サービスポイントの付与態様を変更する」とは、例えば、付与するサービスポイント数を変更する場合、サービスポイントを付与する条件を変更する（例えば、サービスポイントを付与するまでの遊技媒体の消費量を変更する、サービスポイントを付与するまでのゲーム数を変更する等）場合などが挙げられる。
【００１３】
請求項１に記載の発明によれば、遊技店への貢献度に応じて会員にサービスポイントを付与することができ、これにより、会員が満足するようなサービスを提供でき、会員の来店回数を増加させることができる。
【００１４】
請求項２に記載の発明は、請求項１に記載の会員管理装置において、
前記サービスポイント付与態様変更手段は、会員による単位時間当たりの遊技媒体の消費量に応じてサービスポイントの付与態様を変更することを特徴としている。
【００１５】
ここで、「遊技媒体の消費量」は「遊技（ゲーム）の実行数」としてもよい。
なお、請求項２以降は「会員として登録された遊技者」を単に「会員」としている。
【００１６】
請求項２に記載の発明によれば、遊技媒体の消費量の多い会員に対して優遇してサービスポイントを付与することができ、これにより、遊技媒体の消費量の多い会員に対して価値の高いサービスを提供でき、会員の来店回数を増加させることができる。
【００１７】
請求項３に記載の発明は、請求項１又は２に記載の会員管理装置において、
前記サービスポイント付与手段は、
会員の遊技店への来店に応じてサービスポイントとしての来店ポイントを付与する来店ポイント付与手段と、
会員の遊技中における所定条件の成立によりサービスポイントとしての遊技ポイントを付与する遊技ポイント付与手段と、
を有し、
前記サービスポイント付与態様変更手段は、所定期間において前記来店ポイント付与手段により付与された来店ポイント数に応じて、前記遊技ポイント付与手段による遊技ポイントの付与態様を変更することを特徴としている。
【００１８】
ここで、「所定条件の成立」とは、所定数の遊技媒体の消費、所定数のゲームの実行、特別遊技状態の発生などが挙げられる。
【００１９】
請求項３に記載の発明によれば、来店回数の多い会員に対して優遇してサービスポイントを付与でき、これにより、来店回数の多い会員に対して価値の高いサービスを提供でき、会員の来店回数を増加させることができる。しかも、来店回数の多い会員に対して単純に来店ポイントを増加させるのではなく、遊技中の条件に応じて付与される遊技ポイントを優遇させるようにしたため、来店してさらに遊技をした真に遊技店への貢献度が高い会員に対して優遇したサービスポイントの付与を行うことができる。
【００２０】
請求項４に記載の発明は、請求項３に記載の会員管理装置において、
前記遊技ポイント付与手段は、前記所定条件を成立させるための遊技情報を記憶する記憶手段を有し、会員が一旦当該会員管理装置と非アクセス状態となった場合でも前記記憶手段に途中遊技情報を記憶させ、会員が再び当該会員管理装置とアクセス状態となった場合には前記記憶手段に記憶されている途中遊技情報を用いて前記所定条件の成立を監視するようにしたことを特徴としている。
【００２１】
ここで、「アクセス状態」とは、会員が会員管理装置の監視下に置かれている状態をいい、例えば、会員が一の遊技機の近傍に配置された端末装置に会員カードを挿入して当該遊技機で遊技を行うことにより、当該遊技機での遊技に関する遊技情報を会員管理装置に送信可能となっている状態をいう。
また、「非アクセス状態」とは、会員が会員管理装置の監視下に置かれていない状態をいい、例えば、前記端末装置から会員カードを抜き取ることにより、当該遊技機での遊技に関する遊技情報を会員管理装置に送信不可能とした状態をいう。
さらに、「途中遊技情報」とは、例えば、会員が遊技を中断するに際して端末装置から会員カードを抜き取ったときに、会員管理装置における中央管理装置の記憶手段に一旦記憶されるそれまでの遊技情報である。なお、会員が再び遊技を行う際には、例えば、会員カードが挿入された端末装置の記憶手段に対して当該途中遊技情報を再送信する。
【００２２】
請求項４に記載の発明によれば、例えば、遊技時間３０分でサービスポイントを１ポイント付与するような設定において、遊技時間が３０分になる寸前（例えば、２５分）で遊技を終了した場合でも、その２５分の遊技時間は記憶されて次回の遊技の際にサービスポイントの付与に反映される、即ち、次回５分の遊技で１ポイント付与されるため、遊技時間とサービスポイント付与の関係で会員が不満を持つことを防止することができる。
【００２３】
請求項５に記載の発明は、請求項１〜４のいずれか一項に記載の会員管理装置において、
前記遊技機は、
複数の識別情報を変動表示可能な変動表示装置と、
前記変動表示装置での変動表示を伴うゲームの実行毎に特別入賞を内部的に抽選する抽選手段と、
前記抽選手段の抽選結果により特別入賞が当選していることを条件に実行されたゲームにおいて、特定条件が成立した場合に当該特別入賞を成立し得るようにする特別入賞成立可能化手段と、
を有するパチスロ遊技機であり、
前記サービスポイント付与態様変更手段は、前記当選している特別入賞を成立させるまでの浪費に応じてサービスポイントの付与態様を変更することを特徴としている。
【００２４】
ここで、「当選している特別入賞を成立させるまでの浪費」とは、当選している特別入賞を成立させるまでの遊技媒体数、ゲーム数、経過時間などをいう。
【００２５】
請求項５に記載の発明によれば、例えば、遊技に対する技量が低い遊技者は、当選している特別入賞を成立させるまでの浪費が遊技に対する技量の高い遊技者よりも多くなるが、このような遊技者（会員）に優遇してサービスポイントを付与すれば、浪費の補償ができるので、遊技に対する技量の低い会員の来店回数を増加させることができる。
或いは、逆に遊技に対する技量の高い会員に優遇してサービスポイントを付与すれば、遊技者の遊技技量に対して価値を与えることができ、遊技に対する技量の高い会員の来店回数を増加させることができる。
【００２６】
請求項６に記載の発明は、請求項１〜５のいずれか一項に記載の会員管理装置において、
前記会員管理装置は、
前記遊技機の近傍に配設され、会員が保有する会員記憶媒体から会員特定情報を取得する端末装置と、
複数の端末装置からの情報を受信する中央管理装置と、
から構成されていることを特徴としている。
【００２７】
ここで、「遊技機の近傍」としては、例えば、遊技機の隣や、遊技機の上部などが考えられ、遊技機の隣の場合には、島設備に複数列設されている各遊技機の間となる場合も含む。
【００２８】
請求項６に記載の発明によれば、会員が保有する会員記憶媒体からの会員特定情報の取得と、複数の会員における多大なデータの管理とを効率の良い構成で確実に行うことができる。また、サービスの提供として所定のサービス情報を表示により提供する場合には、端末装置に情報表示装置を備えることにより確実に会員にサービスを提供できる。
【００２９】
【発明の実施の形態】
以下、図面を参照して、本発明に係る実施の形態について説明する。
この実施の形態は、本発明に係る会員管理装置の好適な例について説明を行うものである。
【００３０】
図１は、会員管理装置１の全体構成を示す模式的な概略図である。この会員管理装置１は、遊技者にとって有利な特別遊技状態を発生可能に構成された遊技機１００が複数設置される遊技店において、会員として登録された遊技者（明細書中では、単に会員ということもある。）を管理するものである。
【００３１】
図１に示すように、この実施の形態の会員管理装置１は、前記遊技機１００毎に配設されるとともに該遊技機１００の近傍（ここでは左隣）に配設されて遊技機１００と接続された端末装置２と、複数の端末装置２と通信可能（ここでは、複数の端末装置２からの情報を受信可能でかつ複数の端末装置２に対して情報を送信可能）な中央管理装置４と、を備えて構成されている。
また、この実施の形態の場合、中央管理装置４は、中継装置３を介して複数の端末装置２と間接的に通信を行うようになっている。なお、中央管理装置４と中継装置３との通信並びに中継装置３と端末装置２との通信は、有線通信であっても良いし、無線通信であっても良い。
【００３２】
まず、この実施の形態における遊技機１００について説明する。この実施の形態では、遊技者が遊技を実行可能な遊技機１００として、パチスロ遊技機が用いられている。
【００３３】
パチスロ遊技機１００は、複数種類の図柄（識別情報）を外周面に表示したリールを例えば３個備えた変動表示装置を有している。さらに、これらのリールを回転させることで複数種類の図柄を変動表示可能としており、この変動表示を伴うゲーム（変動表示ゲーム）が行われるようになっている。そして、この変動表示ゲームの結果、停止した図柄が予め設定された有効ライン上において所定の図柄組合せ態様となって入賞結果態様を導出（特別入賞が成立）することに関連して、所定の遊技価値を遊技者に付与するようにしている。
【００３４】
このようなパチスロ遊技機１００においては、遊技者による所定数（メダルの場合、通常１〜３枚）の遊技媒体（ここでは、メダル）の投入操作、あるいはクレジットがある場合の賭けボタン操作（ベット操作）に基づく賭数の入力後、スタートレバーを操作することにより前記リールを回転させて図柄を変動表示させ、一定時間経過後自動的にまたは遊技者が各リールに対応して各々備えられたリールストップボタンを操作することにより各リールの回転を順次停止させて図柄組合せ態様（停止結果態様）が形成される。そして、リールが停止した際に、前記賭数の入力に応じて有効化された有効ライン上に形成された図柄組合せ態様が、予め定められた所定の図柄組合せ態様（入賞結果態様）となった場合に入賞が成立し、入賞種類に対応した数の遊技媒体が遊技者に付与される（払い出される）。また、前記図柄組合せ態様が予め定められた特別入賞を成立させる特別図柄組合せ態様である場合には、特別入賞に対応した数の遊技媒体が遊技者に付与されると共に、遊技者に有利にゲームが制御される特別遊技状態（所謂、ＢＢ状態やＲＢ状態などのボーナス状態）が発生するようになっている。
【００３５】
さらに、パチスロ遊技機１００は、遊技に必要な各種制御を行う制御装置を備えている。前記制御装置はＣＰＵ、ＲＯＭ、ＲＡＭ、Ｉ／Ｆを含む制御回路を備え、遊技に関する各種の制御を行う他、端末装置２及び該端末装置２を介して中央管理装置４と通信可能となっており、所定の情報を送信可能となっている。
また、前記遊技機１００の制御装置は、遊技者にとって有利な特別遊技状態が発生する確率を複数段階（例えば、設定１〜６で６が最も高確率）でキー操作により設定可能な確率設定装置（確率設定手段）を備えて構成されている。
【００３６】
さらに、このパチスロ遊技機１００の制御装置では、前記確率設定手段で設定された特別入賞（特別遊技状態）の当選確率（確率設定値）に基づいて、変動表示装置での変動表示ゲームが実行開始される毎に特別入賞を内部的に抽選する抽選手段を備えている。そして、前記抽選手段の抽選結果により特別入賞が当選（内部的に当選）していることを条件に実行されたゲーム（変動表示ゲーム）において、特定条件が成立した場合に当該特別入賞を成立し得るようにする特別入賞成立可能化手段を備えている。すなわち、特別入賞に当選した後、リールストップボタンにより特別図柄組合せ態様を形成できるタイミングでリールの停止操作を行っても、特別図柄組合せ態様を形成しないように制御して、その後、特定条件が成立するまでその制御を継続し、特定条件が成立した場合に、その制御を解除して特別図柄組合せ態様を形成できるリール制御を行うようになっている。ここで、特定条件の成立とは、所定数のゲームの実行や、所定の子役入賞の当選或いは成立等が挙げられる。特別入賞が成立すると、特別遊技状態として、ＢＢ状態やＲＢ状態等のボーナス状態が発生するようになっている。
【００３７】
なお、この実施の形態におけるパチスロ遊技機１００の制御装置では、前記抽選手段の抽選結果により特別入賞が当選（内部的に当選）したときから、特定条件が成立して特別入賞が成立し得る遊技状態となり、実際に特別入賞が成立（特別遊技状態が発生）するまでの間に実行される変動表示ゲームにおいて、前記抽選手段による再度の特別入賞の当選を許容し、該再度の特別入賞の当選が生じた際には当該特別入賞の当選を未成立の当選権利（ストック）として記憶可能な特別入賞当選記憶手段を備えている（所謂ストック機能を有している）。
さらに、特定条件は変更可能となっていて、最初の特別入賞の当選時（ストックがないとき）は、その特別入賞の当選時に特定条件を決定して設定し、以降は、特別入賞の成立毎に次の特別入賞を成立し得るまでの特定条件を決定して設定するようになっている。
また、ここでは、前記未成立の当選権利（ストック）を有しているか否か、ストック数がいくつなのか、といった、特別入賞当選記憶手段に記憶されている当選権利に関する情報（ストック情報）については、通常、秘密であり、公開されないようになっている（サイレントストック機能）。
【００３８】
さらに、遊技機には外部信号を出力する外部信号出力端子が備えられ、ここでは、前記遊技機１００の制御装置は、前記抽選手段の抽選結果により特別入賞が当選したことを特定可能な特別入賞当選信号を外部信号出力端子を介して前記会員管理装置１側（ここでは、中央管理装置４）に出力（当選した時点で１パルス出力）する特別入賞当選信号出力手段と、前記特定条件が成立して特別入賞が成立し得る遊技状態となったことを特定可能な特定条件成立信号を外部信号出力端子を介して前記会員管理装置１側（ここでは、中央管理装置４）に出力（特別入賞が成立するまで継続して出力）する特定条件成立信号出力手段と、前記特別入賞が成立した場合に該特別入賞が成立したことを特定可能な特別入賞成立信号を外部信号出力端子を介して前記会員管理装置１側（中央管理装置４）に出力（特別遊技状態中に継続して出力）する特別入賞成立信号出力手段とを備えている。なお、前記特別入賞当選信号出力手段、特定条件成立信号出力手段及び特別入賞成立信号出力手段においては、ＢＢ状態とＲＢ状態では別々の信号を出力するようになっている。
【００３９】
また、この場合、前記特別入賞当選信号出力手段、前記特定条件成立信号出力手段、前記特別入賞成立信号出力手段から会員管理装置１側への特別入賞当選信号、特定条件成立信号、特別入賞成立信号の出力は、前記したように当該特別入賞の当選や特定条件の成立、特別入賞の成立等がある毎に行っても良いし、会員が遊技を開始する際に会員カード（後述）等を端末装置２に挿入する（又は、会員が遊技を終了する際に会員カード等を端末装置２から抜き取る）ことに基づき、それまでの履歴をまとめて出力するようになっていても良い。
【００４０】
また、ここでは、前記遊技機１００の制御装置は、前記確率設定手段で設定された確率設定値（ここでは、設定１〜６の６段階で表わされる確率設定値）を特定可能な確率設定情報（確率設定に関する情報）を外部に出力する確率設定情報出力手段を備えている。そして、前記会員管理装置１（ここでは、中央管理装置４）は、前記確率設定情報出力手段から前記外部信号出力端子を介して出力された確率設定情報を入力する確率設定情報入力手段（ここでは、ＣＰＵ４１に含まれる）を備えており、さらに、会員管理装置１に備えられた遊技機性能情報管理手段において、前記確率設定情報入力手段により入力された確率設定情報に基づき、会員が遊技した遊技機１００における確率設定情報（確率設定に関する情報）を、遊技機の特別遊技状態の発生に関する性能情報として、収集管理するようになっている。
【００４１】
またさらに、前記遊技機１００の制御装置は、遊技において使用（消費）された遊技媒体数を特定可能な使用遊技媒体信号及び遊技において払い出された遊技媒体数を特定可能な賞遊技媒体数信号を外部に出力（遊技媒体１個に対して１パルス出力）可能となっている。そして、前記会員管理装置１（ここでは、端末装置２）は、前記遊技機１００から出力された使用遊技媒体信号及び賞遊技媒体信号を入力すると共に計数し、該計数情報を遊技情報の一部として記憶手段（ここでは、ＲＡＭ２３）に記憶するようになっている。ここで、遊技情報とは、サービスポイントとしての遊技ポイントを付与するための所定条件の成立に関する情報である。
【００４２】
なお、前記遊技機性能情報管理手段は、遊技機１００において変化する特別遊技状態の発生に関する性能情報を管理するものであり、ここでは、図２に示す中央管理装置４のＣＰＵ４１及び遊技機性能情報記憶部４８によって構成されている。
さらに、前記遊技機性能情報記憶部４８は、確率設定に関する情報や特別入賞の当選権利数等の前記性能情報を、遊技機毎に記憶しておくデータベースとなる部位である。
なお、性能情報としては、現在の特別遊技状態（パチンコ遊技機の変動入賞装置が開放する遊技状態、パチスロ遊技機のボーナス入賞により所定期間、入賞当選確率の高いゲームが実行可能な遊技状態等）に対する確率設定値、パチスロ遊技機における現在のボーナス入賞のストック数（特別入賞の当選権利数）、次のストック放出までのスタート回数、ＡＴ状態の確率設定値などの情報が挙げられる。
【００４３】
以下、会員管理装置１による確率設定情報の管理について詳述する。
遊技機１００の確率設定装置（確率設定手段）で設定された確率設定値を特定可能な確率設定情報は、当該遊技機１００の制御装置の制御により、例えば、当該遊技機１００の電源投入時に実行される電源投入処理において、前記確率設定情報出力手段から前記外部信号出力端子を介して会員管理装置１側（ここでは、中央管理装置４）に送信（出力）するようになっている。前記電源投入処理では、確率設定情報の会員管理装置１側への送信、遊技機１００における所定の設定値や乱数値のリセット等の処理を行うと共に、確率設定値の変更が可能となっている。
【００４４】
ここでは、確率設定値の変更は、遊技機又は遊技機に取り付ける設定値入力用端末に備えられたキーの操作により設定値を変更することにより行われるようになっており、設定変更終了時（すなわち、電源投入処理における確率設定変更処理の終了時）に、変更した確率設定値が特定可能な確率設定情報、例えば確率設定値に対応した数のパルスを会員管理装置１側（ここでは、中央管理装置４）に送信（出力）するようになっている。なお、確率設定値を変更しない場合は、電源投入処理の終了時に、確率設定値が特定可能な確率設定情報を会員管理装置１側（ここでは、中央管理装置４）に送信（出力）するようになっている。
【００４５】
一方、会員管理装置１（ここでは、中央管理装置４）における遊技機性能情報管理手段（ここでは、ＣＰＵ４１及び遊技機性能情報記憶部４８によって構成されている）では、前記確率設定情報入力手段で受信した確率設定情報に基づく確率設定値（性能情報）を、該当する遊技機１００に対応させて（遊技店において遊技機毎に定められている番号に対応させて）遊技機性能情報記憶部４８（図２）に記憶して管理する。
【００４６】
そして、後述するように、端末装置２に送信するサービス情報（後述）としての個別認識情報（後述）を作成する場合には、まず、該当する遊技機の番号（遊技店において遊技機毎に定められている番号であり、ここでは各端末装置のアドレスデータと同じ）に対応して遊技機性能情報記憶部４８に記憶されている確率設定値を抽出する。さらに、抽出した前記確率設定値を、前記会員管理装置１（ここでは、中央管理装置４）の会員情報記憶手段で記憶されている性能情報（確率設定値）の提供対象となる遊技者の会員情報に関連づけることで、当該遊技者のみが性能情報（確率設定値）を認識可能な個別認識情報を作成する。
【００４７】
なお、各遊技機の確率設定値を管理するための構成としては、前記した構成（確率設定値が特定可能な確率設定情報が、遊技機１００から中央管理装置４に出力される構成）に限るものではない。例えば、中央管理装置４の入力装置４６（後述）から各遊技機の確率設定値を手入力等で入力して、遊技機性能情報管理手段の遊技機性能情報記憶部４８に記憶するようにしても良い。
【００４８】
中央管理装置４は、図２に示すように、外部Ｉ／Ｆ部４４を介して中継装置３との間でデータの送受信が可能なＣＰＵ４１を備える。
さらに、中央管理装置４は、ＣＰＵ４１が実行する制御プログラム等を記憶したＲＯＭ４２、ＣＰＵ４１の作業領域及び各種データの記憶領域を有するＲＡＭ４３、会員登録された複数の遊技者（具体的には、例えば全ての会員）固有の会員情報を記憶する会員情報記憶手段としての会員情報記憶部４５を備えている。また、中央管理装置４は、会員情報や性能情報等の各種情報を直接入力（手入力）するためのキーボードなどの入力装置４６、記憶管理されている情報を出力するための出力装置（例えば表示装置、プリント装置など）４７、遊技機毎の性能情報を記憶する遊技機性能情報記憶部４８（前記したように、当該遊技機性能情報記憶部４８とＣＰＵ４１とで遊技機性能情報管理手段を構成している）等を備えている。
【００４９】
なお、この実施の形態では、前記中央管理装置４のＣＰＵ４１には、個別認識情報生成手段を備えている。
また、この実施の形態では、前記中央管理装置４の会員情報記憶部４５は、会員情報記憶手段として機能するように構成されている。前記会員情報記憶手段に記憶される会員情報としては、例えば、会員の氏名、年齢、生年月日、電話番号、星座、血液型、サービスポイントデータ、貯遊技媒体データ、来歴情報や、会員によって登録された暗証番号などがある。これらは、各会員に付された会員番号（会員特定情報）毎に記憶管理されている。
【００５０】
前記遊技機性能情報管理手段は、遊技機１００において変化する特別遊技状態の発生に関する性能情報を管理している。この実施の形態では、性能情報として、各遊技機１００における制御装置の確率設定手段で設定されている確率設定に関する情報（確率設定情報）が収集されて記憶管理されている。なお、具体的には、確率設定に関する情報としては、設定１〜６の６段階（設定６が最も高確率）で設定される確率設定値が記憶されている。
また、ここでは、遊技機性能情報管理手段は、会員が遊技した複数の遊技機における確率設定状況（会員が遊技した各遊技機における確率設定値を収集した来歴情報で、当該会員毎に付された特定情報（会員番号等の会員特定情報）に対応して管理されている）等の種々のデータも管理している。
【００５１】
さらに、この実施の形態では、前記遊技機性能情報管理手段は、前記性能情報として、各遊技機の特別入賞当選記憶手段に記憶されている当選権利に関する情報を管理している。
詳述すると、前記遊技機性能情報管理手段では、前記遊技機１００の特別入賞当選信号出力手段からの特別入賞当選信号を累積的に記憶しておくことにより特別入賞の当選数の合計（例えば、遊技機に設けられたリセットスイッチを押したときからの当選数の合計）を管理可能となっている。
また、前記遊技機性能情報管理手段では、前記遊技機１００の特別入賞成立信号出力手段からの特別入賞成立信号を累積的に記憶しておくことにより既に成立済の特別入賞の合計数（例えば、遊技機に設けられたリセットスイッチを押したとき以降に成立した特別入賞の数）も管理可能となっている。
そして、前記特別入賞当選信号による特別入賞の当選数の合計から、前記特別入賞成立信号による既に成立済の特別入賞の合計数を減算することにより、前記遊技機１００の特別入賞当選記憶手段で記憶されていて未成立の特別入賞の当選権利数を算出可能となっている。
【００５２】
これらのことから、前記遊技機性能情報管理手段は、前記特別入賞当選信号と特別入賞成立信号に基づいて、性能情報として、各遊技機の特別入賞当選記憶手段に記憶されている当選権利に関する情報（ここでは、特別入賞の当選権利数（ストック数））を管理しているといえる。
【００５３】
前記性能情報提供手段は、前記遊技機性能情報管理手段により管理されている性能情報を、会員に提供するものである。
なお、詳しくは後述するが、この実施の形態においては、前記性能情報提供手段は、前記性能情報を、前記会員情報記憶手段で記憶されている該性能情報の提供対象となる遊技者の会員情報に関連づけることで、当該遊技者のみが該性能情報を認識可能な個別認識情報を生成する個別認識情報生成手段を含み、該個別認識情報により前記性能情報を該当する遊技者のみに提供するようにしている。
【００５４】
中継装置３は、例えば遊技店に複数設置された島設備毎に設けられている。この中継装置３は、各島設備に設置された複数の端末装置２と中央管理装置４との間で送受信されるデータを中継するものである。
すなわち、中継装置３は、中央管理装置４の外部Ｉ／Ｆ部４４との間でデータの授受を行う外部Ｉ／Ｆ部３４ａと、ＣＰＵ３１を介して前記外部Ｉ／Ｆ部３４ａと接続されるとともに、端末装置２との間でデータの授受を行う外部Ｉ／Ｆ部３４ｂとを備えている。さらに、符号３２は中継装置を構成するＲＯＭ、３３はＲＡＭである。なお、前記中継装置３においては、ＣＰＵ３１、ＲＯＭ３２、ＲＡＭ３３が設けられていない場合もある。
前記構成により、中央管理装置４は中継装置３を介して各端末装置２との間でデータの通信（送受信）が可能となっている。
なお、中央管理装置４と端末装置２との間で送受信されるデータには会員情報、性能情報等が含まれる。
【００５５】
また、この実施の形態の端末装置２は、遊技者が遊技を実行可能な遊技機１００としての例えばパチスロ遊技機の近傍に配設され、当該パチスロ遊技機１００と接続されている。この実施の形態においては、遊技店では島設備が複数併設されており、また、当該島設備毎に、前記パチスロ遊技機１００等の遊技機が複数列設されている。そして、島設備に対して列設されているパチスロ遊技機毎に端末装置２が配設されている。なお、ここでは、端末装置２は、パチスロ遊技機１００の左隣に配設されて接続されている。
【００５６】
端末装置２は、前記遊技機１００と中継装置３との間での通信及び会員が保有する会員記憶媒体（ここでは、会員登録に際して会員に与えられる磁気カードやＩＣカード等からなる会員カード）の処理等が可能となっている。
すなわち、図２に示すように、端末装置２は、外部Ｉ／Ｆ部２４を介して中継装置３（詳しくは、中継装置３の外部Ｉ／Ｆ部３４ｂ）と接続されたＣＰＵ２１を備え、該ＣＰＵ２１は、外部Ｉ／Ｆ部２４を介して中継装置３との間でデータの送受信を行う。
さらに、端末装置２は、ＣＰＵ２１が行う制御プログラム等を記憶したＲＯＭ２２、ＣＰＵ２１の作業領域及び各種データの記憶領域を有するＲＡＭ２３を備えている。
【００５７】
加えて、端末装置２は、会員カードの挿入を受け付ける会員カード挿入口２８（図１）と、前記性能情報を含む各種の表示情報の表示を行う、性能情報提供手段の一構成要素としての情報表示装置（例えば、液晶表示装置からなる液晶表示部２６）と、各種の操作を行うための操作部（例えば、液晶表示部２６に形成されたタッチパネル操作部２５）と、を備えている。
そして、ＣＰＵ２１は、会員記録媒体（会員カード）を会員カード挿入口２８に挿入することに基づき、会員記録媒体（会員カード）からの特定情報（会員番号等の会員特定情報）の取得を制御し、タッチパネル操作部２５への操作入力に基づき、中央管理装置４とのデータの送受信処理、中央管理装置４からのデータに基づき行われる液晶表示部２６の表示状態の切替処理等の制御を行う。
なお、この実施の形態では、端末装置２は、貸遊技媒体（貸メダル）払出装置を兼ねており、所定の部位（図示省略）に現金を投入（あるいはプリペイドカードを挿入）することにより、遊技媒体払出部２７より、遊技機１００にメダルが払い出されるようになっている。また、中央管理装置４又は会員記録媒体に、遊技媒体（メダル等）を情報として貯留しておく機能があり、かつ遊技媒体が貯留されている場合には、貯遊技媒体を引き出すことも可能である。
【００５８】
なお、前記会員管理装置１には、サービスポイント付与手段が備えられている。このサービスポイント付与手段は、種々の条件に基づき、会員に対して、遊技店におけるサービスの提供に関連したサービスポイントを付与するものである。この実施の形態では、サービスポイント付与手段は、中央管理装置４と端末装置２の双方に備えられており、それぞれ異なる付与条件に基づいてサービスポイントを付与するようになっている。また、前記中央管理装置４のサービスポイント付与手段は、ＣＰＵ４１と会員情報記憶部４５とで構成されており、前記端末装置２のサービスポイント付与手段は、ＣＰＵ２１とＲＡＭ２３とで構成されている。
【００５９】
ここで、サービスポイントとは、例えば、当該サービスポイントを貯めて所定のポイント数となった場合に、新装開店時の優先入場サービス、ドリンク提供サービス、高設定台での遊技サービス、景品交換率の変更（交換率ＵＰ）、遊技データ開示サービス等、所定のサービスの提供を受けることと交換可能となるものであり、ここでは特に、サービスポイントが所定数に達した場合に、前記性能情報提供手段によって会員に対して性能情報（ここでは、遊技機の確率設定値）が提供可能となっている。
【００６０】
また、サービスポイントの付与条件に関して、前記サービスポイント付与手段は、来店ポイント付与手段、遊技ポイント付与手段等を有している。
前記来店ポイント付与手段は、会員の遊技店への来店に応じてサービスポイントとしての来店ポイントを付与するものである。この実施の形態では、遊技店に来店して会員カードを端末装置の会員カード挿入口２８に差し込むと、１日に付き１回、１ポイントを付与するようになっている。なお、この実施の形態における来店ポイント付与手段は、端末装置２のサービスポイント付与手段に設けられている。
【００６１】
前記遊技ポイント付与手段は、会員の遊技中における所定条件の成立によりサービスポイントとしての遊技ポイントを付与するものである。所定条件の成立するときとは、例えば、所定数の遊技媒体を消費したとき、所定数のゲーム数を実行したとき、特別遊技状態が発生したとき、所定の遊技時間が経過したときなどが挙げられ、このようなときに遊技ポイントを付与可能となっている。この実施の形態では、まず、２５０枚のメダルを消費する毎に、１ポイントを付与するようになっている。また、会員カードを挿入してから３０分毎に、後述するサービスポイント付与態様変更手段によって決定される所定のサービスポイントを付与するようになっている。なお、前記した遊技ポイント付与に関する遊技ポイント付与手段は、端末装置２のサービスポイント付与手段に設けられている。
【００６２】
また、遊技ポイント付与手段による遊技ポイントの付与条件としては、前記したものの他にも、種々の条件があっても良い。例えば、会員が、遊技機の確率設定値が低い台に連続して所定回数当たった場合を条件として、その補償としてポイントを付与したり、逆に会員が一定以上の利益を得た場合に賞品としてポイントを付与したりする場合が挙げられる。なお、前記例の付与条件に関する遊技ポイント付与手段は、中央管理装置４に設けられている。そして、会員が遊技を終了する毎に、中央管理装置４で管理されている各遊技機の確率設定値から会員が遊技した台の確率設定値を抽出し、中央管理装置４における当該会員の会員情報の中に累積記憶しておくようになっており、この累積記憶に応じてサービスポイントの付与条件が成立したときには、次回遊技を開始する際にサービスポイントを付与するようになっている。
【００６３】
さらに、前記サービスポイント付与手段は、サービスポイント付与態様変更手段を有している。前記サービスポイント付与態様変更手段は、サービスポイントの付与対象となる会員の固有条件に応じてサービスポイントの付与態様を変更するものである。
なお、会員の固有条件としては、特にパチスロ遊技機において単位時間当たりに使用したメダル数又は単位時間当たりに行われたゲーム数等によって現わされる会員の遊技スピードや、所定期間で特別入賞が成立した回数や所定期間における使用（消費）したメダル数と払い出されたメダル数との差等の会員の遊技における結果などの遊技内容に関して会員毎に異なる条件、会員の所定期間における来店回数や来店傾向などの来店態様に関して会員毎に異なる条件等が挙げられる。
また、サービスポイントの付与態様を変更するとは、例えば、前記固有条件に応じて、同一付与条件に対して付与するサービスポイント数を変更する場合や、前記固有条件に応じて、同一のサービスポイント数を付与するための付与条件を変更する場合などが挙げられる。
【００６４】
この実施の形態では、会員による単位時間当たりの遊技媒体（ここでは、メダル）の消費量に応じて、所定の遊技時間が経過する毎に付与するサービスポイント数を変更するようになっている。具体的には、次のようになっている。
まず、前記したように、遊技ポイント付与手段により、会員カードを挿入してから３０分毎にサービスポイントを付与するようになっている。また、当該３０分の単位時間の中で消費されたメダル数を計数して、端末装置２の遊技ポイント付与手段に設けられた記憶手段に遊技情報として記憶される。なお、記憶手段に遊技情報を記憶するタイミングとしては、例えば１分毎に記憶するようにしても良いし、メダルが消費される毎に記憶するようにしても良い。そして、前記３０分間で消費されたメダル数が多いほど高いサービスポイントを付与するようになっている。この実施の形態では、図１８に示すように、３０分間で消費されたメダル数（メダル消費量）が９００枚以上のときは２ポイント、７００〜８９９枚のときは１ポイントを付与するようになっており、３０分間で消費されたメダル数（メダル消費量）が６９９枚以下のときは０ポイント、すなわち所定の遊技時間経過によるサービスポイントの付与なしとなっている。
【００６５】
なお、前記サービスポイント付与態様変更手段は、前記したように所定期間において前記来店ポイント付与手段により付与された来店ポイント数、すなわち所定期間中に会員が来店した回数に応じて、前記遊技ポイント付与手段による遊技ポイントの付与態様を変更する、例えば来店回数が多い会員に対して付与する遊技ポイント数を多くするようになっていても良い。具体的には、次のようにされる。
【００６６】
まず、前記したように、遊技ポイント付与手段により、２５０枚のメダルを消費する毎に、基本的には１ポイントを付与するようになっている。しかしここでは、前記サービスポイント付与態様変更手段により、過去１ヶ月間に付与された来店ポイント数に応じて、２５０枚のメダル消費毎に付与される遊技ポイント数を変更するようにされる。すなわち、遊技店に来店してその日初めて会員カードを端末装置２の会員カード挿入口２８に差し込んで遊技を開始する際に、来店ポイントを付与すると共に過去１ヶ月間に付与された来店ポイント数を計数して端末装置２の記憶手段に記憶する。そして、当該記憶された来店ポイント数が高いほど、２５０枚のメダル消費毎に付与される遊技ポイント数が高くなるようにされる。例えば、図１９に示すように、来店ポイントが２０ポイント以上のときは２５０枚のメダル消費毎に３ポイント、１０〜１９ポイントのときは２５０枚のメダル消費毎に２ポイント、９ポイント以下のときは２５０枚のメダル消費毎に１ポイントの遊技ポイントが付与されるようにされる。
【００６７】
なお、来店ポイント数を計数する所定期間としては、前記した過去１ヶ月間に限るものではない。例えば、過去１週間や過去２ヶ月間といった前記した期間とは異なる期間を設定しても良い。また、遊技店が予め定めた所定のキャンペーン期間中（例えば○月○日〜×月×日まで、というような決められた期間）を来店ポイント数を計数する所定期間として設定しても良い。
【００６８】
さらに、前記サービスポイント付与態様変更手段は、前記当選している特別入賞を成立させるまでの浪費に応じてサービスポイントの付与態様を変更するようにしても良い。すなわち、前記したようにパチスロ遊技機における抽選手段の抽選結果により特別入賞が内部的に当選した後、特定条件が成立して特別入賞が成立し得る遊技状態となってから、実際に成立するまでに消費（浪費）したメダル数（これを浪費量とする）に応じて、前記遊技ポイント付与手段による遊技ポイントの付与態様を変更する、例えば浪費量が多い会員に対して付与する遊技ポイント数を多くするようになっていても良い。具体的には、次のようにされる。
【００６９】
まず、前記したように、遊技ポイント付与手段により、２５０枚のメダルを消費する毎に、基本的には１ポイントを付与するようになっている。しかしここでは、会員の遊技における過去所定回数（例えば、３０回）の特別入賞の成立に関して、特別入賞が内部的に当選した後、特定条件が成立して特別入賞が成立し得る遊技状態となってから、実際に成立するまでに消費（浪費）したメダル数（浪費量）の平均値を算出し、当該平均値に応じて、前記サービスポイント付与態様変更手段により、２５０枚のメダル消費毎に付与される遊技ポイント数を変更するようにされる。
【００７０】
すなわち、前記したように、特別入賞が内部的に当選して前記特別入賞当選信号出力手段により特別入賞当選信号が外部信号出力端子を介して会員管理装置１側（ここでは、中央管理装置４）に出力された後、特定条件が成立して特別入賞が成立し得る遊技状態となると、前記特定条件成立信号出力手段により、特定条件成立信号が外部信号出力端子を介して前記会員管理装置１側（ここでは、中央管理装置４）に出力（特別入賞が成立するまで継続して出力）される。そして、前記特別入賞が実際に成立すると、前記特別入賞成立信号出力手段により、特別入賞が成立したことを特定可能な特別入賞成立信号が外部信号出力端子を介して前記会員管理装置１側（中央管理装置４）に出力（特別遊技状態中に継続して出力）される。
【００７１】
ここで、前記特定条件成立信号が出力される毎に、特定条件が成立して特別入賞が成立し得る遊技状態となってから特別入賞が実際に成立するまで（特定条件成立信号が出力されている間）に消費したメダル数を計数して例えば中央管理装置４の記憶手段に記憶して、過去所定回数（例えば、３０回）の浪費量の平均値を算出しておく。そして、会員カードを端末装置２の会員カード挿入口２８に差し込んで遊技を開始する際に、過去所定回数（例えば、３０回）の浪費量の平均値を呼び出し、当該浪費量が高いほど、２５０枚のメダル消費毎に付与される遊技ポイント数が高くなるようにされる。例えば、図２０に示すように、浪費量（メダル浪費量）が２０枚以上のときは２５０枚のメダル消費毎に３ポイント、１０〜１９枚のときは２５０枚のメダル消費毎に２ポイント、９枚以下のときは２５０枚のメダル消費毎に１ポイントの遊技ポイントが付与されるようにされる。
【００７２】
なお、浪費量の平均値を算出する回数としては、前記した過去３０回に限るものではない。例えば、過去１０回や過去１００回といった前記した回数とは異なる回数を設定しても良い。また、遊技店が予め定めた所定のキャンペーン期間中（例えば○月○日〜×月×日まで、というような決められた期間）の遊技において、特別入賞の成立があったときの浪費量の平均値を算出するようにしても良い。さらに、浪費量は過去の平均値ではなく、前回の特別入賞の成立時の値を使用するようにしても良い。
【００７３】
またさらに、この実施の形態では、会員管理装置１を構成する中央管理装置４及び端末装置２の双方の遊技ポイント付与手段に、遊技ポイントの付与に関連する所定条件を成立させるための遊技情報を記憶する記憶手段を有している。なお、この実施の形態では、中央管理装置４の記憶手段は、会員情報記憶部４５に備えられており、端末装置２の記憶手段はＲＡＭ２３に備えられている。
【００７４】
そして、遊技中、すなわち会員カードが端末装置２の会員カード挿入口２８に挿入されて会員が会員管理装置１とアクセス状態にある場合は、前記遊技情報を端末装置２の記憶手段で管理しておき、この遊技情報に基づいてサービスポイントの付与を行うようになっている。また、会員が遊技を中止又は中断するようなときに、会員カードが端末装置２の会員カード挿入口２８から抜き取られて一旦会員管理装置１と非アクセス状態となる場合には、端末装置２の記憶手段に記憶されていた遊技情報を前記中央管理装置４の記憶手段に送信して、当該遊技情報を途中遊技情報として記憶させるようになっている。
【００７５】
さらに、会員カードが端末装置２の会員カード挿入口２８に挿入されて会員が再び当該会員管理装置１とアクセス状態となった場合には、前記中央管理装置４の記憶手段に記憶されている途中遊技情報を再び端末装置２の記憶手段に送信して、当該途中遊技情報を用いて前記ポイントの付与に関する所定条件の成立を監視するようになっている。例えば、この実施の形態においては、遊技の中断前に２００枚のメダルを消費していた場合には、遊技再開後、５０枚のメダルを消費した時点でサービスポイントが付与される。また、遊技の中断前に２５分間遊技を行っていた場合には、遊技再開後、５分間遊技を行った時点でサービスポイントが付与される。
【００７６】
次に、会員管理装置１が行う制御について詳細に説明する。
【００７７】
まず、端末装置２における制御について説明する。
ここでは、遊技者により端末装置２の会員カード挿入口２８に会員カードが挿入されると、図３の（ａ）のステップＳ１１にてカードが挿入されて会員が会員管理装置に対してアクセス状態となったと判定し、ステップＳ１２に移行する。
【００７８】
ステップＳ１２では、会員情報（前記遊技情報を含む）を取得する。具体的には、端末装置２より、当該端末装置２のアドレスデータ（各端末装置２には個別のアドレス（ここでは、遊技機に付されている番号と同じ）が付与されていることとする。）及び会員（会員カード）の特定情報（会員番号等の会員特定情報）を中央管理装置４に送信する。そして、中央管理装置４から、前記会員特定情報に対応した会員情報の一部（例えば、サービスポイントの更新データや、貯遊技媒体データ、本日最初のカード挿入がどうかの判定データ、遊技媒体消費データ（使用遊技媒体信号による消費したメダル数データ）、カード挿入からの経過時間データ等）を、先のアドレスデータに対応する端末装置２に送信してもらい、これを端末装置２が受信する。
【００７９】
すると、端末装置２では、受信した会員情報をＲＡＭ（記憶手段）２３に記憶し、該会員情報を遊技中（会員カードが抜き取られるまでの間）は管理する。また、前回遊技したときから何らかのサービスポイントが付加されているような場合（例えば、来店回数が多い会員に対してボーナスポイントが付加されたり、低設定台での遊技が多い会員に対して補償として特別ポイントが付加されたりする等）には、サービスポイントを更新する。
【００８０】
また、このときの情報に基づき、端末装置２の情報表示装置２６では、図７に示すような画面表示を行う。ここでは、当該遊技機１００に関するデータのうち一般公開可能な情報（確率設定値等の秘密情報を除く情報）としてＢＢ回数、ＢＢ確率、ＢＢ発生までのゲーム回数の履歴等が表示される。
【００８１】
次に、サービス情報（サービス情報としての性能情報）の要求があるか否かの判定を行う（ステップＳ１３）。ここで、サービス情報とは、前記個別認識情報にして該当する会員に提供される性能情報のことを指す。また、ここでは、サービス情報の要求がなされる場合は、サービスポイントが所定数貯まっているときに遊技者（会員）がタッチパネル操作部２５を押圧操作して要求する場合である。すなわち、前記性能情報提供手段は、会員に所定のサービスを付与するためのサービスポイントが所定数（ここでは、３００ポイント）に達した場合に、サービス情報を提供可能にしている。例えば、タッチパネル操作部２５のうち、前記図７の画面下方に位置している「サービス」ボタン部分を押圧することにより、図８に示すようなサービスポイントを消費して得られる項目（ドリンクサービスは５０ポイント、翌日台予約は１００ポイント等）が表示される。そして、ここで、タッチパネル操作部２５のうち、サービス情報欄（「３．サービス情報：３００ポイント」と表示されている部位）の右横に設けられた「ＯＫ」ボタン部分を押圧することにより、サービス情報の要求がなされる。
【００８２】
なお、図８の画面右上に設けられた「詳細」ボタンを押圧すると、「サービスポイントの内容」としてサービスポイント付与手段によるサービスポイントの付与条件を詳細に記載した画面が表示される。
この実施の形態では、図１６に示すように、来店ポイントとして来店毎に１ポイントを加算する旨の記載、遊技ポイント１としてメダルを２５０枚使用する毎に１ポイントを加算する旨の記載及び遊技ポイント２として３０分間のメダル使用量に応じてサービスポイント付与態様変更手段で決定された所定のポイントを３０分毎に加算する旨の記載が表示されるようになっている。また、前記遊技ポイント２のさらに詳細な内容として、３０分間のメダル使用量が９００枚以上のときは３０分毎に２ポイントを加算すること、３０分間のメダル使用量が７００〜８９９枚のときは３０分毎に１ポイントを加算すること、３０分間のメダル使用量が６９９枚以下のときは３０分毎に０ポイントを加算すること（すなわちポイントの加算なしということ）も表示される。
【００８３】
さらに、前記したように、サービスポイント付与態様変更手段によって、来店回数（来店ポイント数）に応じて遊技ポイントの付与態様を変更するパターンになっている場合には、図１７に示すようが画面が表示される。
すなわち、来店ポイントとして来店毎に１ポイントを加算する旨の記載、遊技ポイントとして来店回数に応じてサービスポイント付与態様変更手段で決定された所定のポイントを加算する旨の記載が表示されるようになっている。また、サービスポイント付与態様変更手段で決定された現在の遊技ポイント付与条件が表示されるようになっており、ここでは、１ヶ月間で２０回以上の来店があったためにメダルを２５０枚使用する毎に３ポイントの遊技ポイントが付与される旨の記載が表示される。
【００８４】
前記Ｓ１３において、遊技者によるサービス情報の要求があった場合には、端末装置２から中央管理装置４に対してサービス情報の要求を行う（ステップＳ１４）。そして、前記Ｓ１４の要求に対して中央管理装置４からサービス情報（このサービス情報は、要求があった端末装置に対応する遊技機の性能情報（個別認識情報にされたもの）を示す）が提供され、これを受信する（ステップＳ１５）と、サービスポイント更新処理を行う（ステップＳ１６）。ここでは、サービス情報の提供を受けるために所定のサービスポイント（ここで、３００ポイント）を消費することとなっており、サービスポイント更新処理としては、付与されていたサービスポイントから３００ポイントを差し引く処理を行う。また、サービス情報が表示されるまでは、情報表示装置２６では、図９に示すように、３００ポイントが差し引かれたサービスポイントを表示すると共に、データの取込中であることを表示する。
なお、前記サービスポイント更新処理（ステップＳ１６）では、通常は、図５に示すような、来店毎や所定遊技媒体消費毎などのサービスポイントの付与を行っている。
【００８５】
以下、図５を用いて、この実施の形態における通常のサービスポイント更新処理について詳述する。
まず、会員カードの挿入が本日最初のカード挿入かどうかの判定を行う（ステップＳ４１）。この実施の形態では、端末装置２に会員カードを挿入した際に中央管理装置４から送信される会員情報の中に、本日最初のカード挿入がどうかの判定データが含まれており、これを用いて判定を行う。ここで、本日最初のカード挿入であると判定された場合には、来店ポイント（サービスポイント）を１ポイント加算する（ステップＳ４２）。本日最初のカード挿入でないと判定された場合は、Ｓ４２は飛ばしてＳ４３の処理を行う。
【００８６】
ステップＳ４３では、前回の遊技媒体消費データ等の遊技情報における途中データ（途中遊技情報）を中央管理装置４の記憶手段から抽出する。この途中遊技情報は、会員が遊技を一旦中断する際に中央管理装置４の記憶手段に記憶されるものであり、遊技を再開する際に会員情報の一部として端末装置２の記憶手段に再び送信されるものである。ここには、データクリア（ステップＳ４９）等から遊技中断直前までのメダル消費量（遊技媒体消費データ１）、規定時間内における遊技中断直前までのメダル消費量（遊技媒体消費データ２）及びタイマクリア（ステップＳ５３）等によって開始されるタイマの経過時間（経過時間データ）等が記憶されており、これらを抽出する。また、前記途中遊技情報は、所定の条件（例えば、会員が遊技を中断した当日中に遊技を再開しないとき等）に応じて、当該途中遊技情報のデータを削除するようにしても良いし、次回遊技を再開するまでいつまでもデータを記憶しておくようにしても良い。
【００８７】
それから、遊技媒体消費データ１の計数（ステップＳ４４）、遊技媒体消費データ２の計数（ステップＳ４５）及びタイマ更新による経過時間データの計数（ステップＳ４６）を行う。これらは、途中遊技情報が抽出されている場合は当該途中遊技情報に加えて計数し、途中遊技情報がない場合（所定の条件により途中遊技情報のデータが削除された後、初めて遊技を行う場合など）は遊技者により端末装置２の会員カード挿入口２８に会員カードが挿入されたときを起点に０から計数していく。
【００８８】
そして、遊技媒体消費データ１が所定値となったかどうかの判定を行う（ステップＳ４７）。ここでは、メダル消費量が２５０枚に達したかどうかの判定を行う。ここで、前記値に達していれば、遊技ポイント１（サービスポイント）を１ポイント加算し（ステップＳ４８）、遊技媒体消費データ１をクリアする（ステップＳ４９）。
【００８９】
次に、タイマクリア（ステップＳ５３）又はカード挿入によって開始されるタイマの経過時間が規定時間（ここでは３０分）を経過しているかどうかの判定を行い（ステップＳ５０）、規定時間を経過していれば、Ｓ４５で計数された規定時間内（ここでは３０分間）の遊技媒体消費データ２（規定時間内のメダル消費量）に基づき、遊技ポイント２を付与する（ステップＳ５１）。ここでは、前記したように、遊技ポイント２は、規定時間内（３０分間）のメダル消費量（遊技者の固有条件）に応じて変更されるようになっており、図１８に示すように、３０分間で消費されたメダル数（メダル消費量）が９００枚以上のときは２ポイント、７００〜８９９枚のときは１ポイントを付与するようになっており、３０分間で消費されたメダル数（メダル消費量）が６９９枚以下のときは０ポイント、すなわち所定の遊技時間経過によるサービスポイントの付与なしとなっている。
【００９０】
また、遊技ポイント２の付与後は、遊技媒体消費データ２をクリア（ステップＳ５２）すると共に、タイマの経過時間データをクリアする（ステップＳ５３）。
なお、前記遊技ポイントの付与に関する各種数値（メダル消費量が２５０枚に達したかどうか、３０分間のメダル消費量が９００枚以上で２ポイント、７００〜８９９枚で１ポイント、６９９枚以下で０ポイント付与等）はこれに限るものではなく、適宜の数値に変更可能である。
【００９１】
また、通常のサービスポイント更新処理は、前記した図５に示すような場合の他、図６に示すように行われる場合もある。
以下、図６を用いて、当該通常のサービスポイント更新処理について詳述する。
まず、会員カードの挿入が本日最初のカード挿入かどうかの判定を行う（ステップＳ６１）。ここでは、端末装置２に会員カードを挿入した際に中央管理装置４から送信される会員情報の中に、本日最初のカード挿入がどうかの判定データが含まれており、これを用いて判定を行う。ここで、本日最初のカード挿入であると判定された場合には、来店ポイント（サービスポイント）を１ポイント加算する（ステップＳ６２）。本日最初のカード挿入でないと判定された場合は、Ｓ６２は飛ばしてＳ６３の処理を行う。
【００９２】
ステップＳ６３では、前回の遊技媒体消費データ等の遊技情報における途中データ（途中遊技情報）を中央管理装置４の記憶手段から抽出する。この途中遊技情報は、会員が遊技を一旦中断する際に中央管理装置４の記憶手段に記憶されるものであり、遊技を再開する際に会員情報の一部として端末装置２の記憶手段に再び送信されるものである。ここには、データクリア（ステップＳ６８）等から遊技中断直前までのメダル消費量（遊技媒体消費データ）が記憶されており、これを抽出する。また、前記途中遊技情報は、所定の条件（例えば、会員が遊技を中断した当日中に遊技を再開しないとき等）に応じて、当該途中遊技情報のデータを削除するようにしても良いし、次回遊技を再開するまでいつまでもデータを記憶しておくようにしても良い。
【００９３】
それから、遊技媒体消費データの計数（ステップＳ６４）及び所定期間（ここでは、過去１ヶ月間）における来店ポイントの抽出（ステップＳ６５）を行う。前記遊技媒体消費データの計数は、途中遊技情報が抽出されている場合は当該途中遊技情報に加えて計数し、途中遊技情報がない場合（所定の条件により途中遊技情報のデータが削除された後、初めて遊技を行う場合など）は遊技者により端末装置２の会員カード挿入口２８に会員カードが挿入されたときを起点に０から計数していく。
【００９４】
そして、遊技媒体消費データが所定値となったかどうかの判定を行う（ステップＳ６６）。ここでは、メダル消費量が２５０枚に達したかどうかの判定を行う。
【００９５】
ここで、前記値に達していれば、来店ポイントに対応した遊技ポイント（サービスポイント）を付与する（ステップＳ６７）。
ここでは、図１９に示すように、遊技者の固有条件としての来店ポイントが２０ポイント以上のときは２５０枚のメダル消費毎に３ポイント、１０〜１９ポイントのときは２５０枚のメダル消費毎に２ポイント、９ポイント以下のときは２５０枚のメダル消費毎に１ポイントの遊技ポイントが付与されるようにされるようになっている。
【００９６】
また、遊技ポイントの付与後は、遊技媒体消費データをクリア（ステップＳ６８）する。
なお、前記遊技ポイントの付与に関する各種数値（来店ポイントが２０ポイント以上のときは２５０枚のメダル消費毎に３ポイント、１０〜１９ポイントのときは２５０枚のメダル消費毎に２ポイント、９ポイント以下のときは２５０枚のメダル消費毎に１ポイントの遊技ポイント付与等）はこれに限るものではなく、適宜の数値に変更可能である。
【００９７】
そして、前記Ｓ１６の後、その時点における遊技機の性能情報としてのサービス情報を情報表示装置２６での表示情報で提供する情報表示処理を行う（ステップＳ１７）。ここでは、前記性能情報として、現在遊技者が遊技している遊技機１００における確率設定値を表示するようになっている。
また、この際、当該遊技者（会員）以外の他人に性能情報を知られないように、前記性能情報提供手段は、前記性能情報を、前記会員情報記憶手段で記憶されている該性能情報の提供対象となる遊技者の会員情報に関連づけることで、当該遊技者のみが該性能情報を認識可能な個別認識情報を生成する個別認識情報生成手段を含み、該個別認識情報により前記性能情報を該当する遊技者のみに提供するようにしている。なお、個別認識情報により、性能情報を、該当する遊技者のみに提供するとは、該当する遊技者のみが知っている複数の（会員）情報（生年月日、暗証番号等）のうち、性能情報に対応した会員情報を選択し、該選択した会員情報を利用して、間接的に性能情報を提供することである。
【００９８】
具体的には、図１０に示すように、「遊技機の確率設定値は会員の生年月日の日と同じ値」と表して、他人がその表示を見ても確率設定値は分からず、当該会員のみに確率設定値が分かるような表示を行うようになっている。
なお、前記確率設定値は、その値を直接報知するだけでなく、例えば、図１１に示すように、「確率設定値は会員の生年月日の日よりも大きい値」として、ある程度の範囲で報知するようになっていても良い。さらに、現在遊技者が遊技している遊技機の確率設定値のみを報知するだけでなく、図１２に示すように、当該遊技機以外の遊技機の情報も表示するようにしても良い。このとき、遊技店における全遊技機の情報を表示するようにしても良いし、当該遊技機の近辺や同一機種全台等の所定の範囲の遊技機の確率設定値を同時に報知するようになっていても良い。この場合は、中央管理装置から端末装置に、該当する複数の遊技機の性能情報が送信される（ステップＳ１４，Ｓ１５）。
【００９９】
またさらに、性能情報としては、前記確率設定値に限るものではなく、例えば、この実施の形態のパチスロ遊技機１００のような、ストック（サイレントストック）機能付のパチスロ遊技機の場合には、図１３に示すように、遊技機における特別入賞当選記憶手段に記憶されている現在の特別入賞（特別遊技状態発生）の当選権利数（ストック数）などの当選権利に関する情報を表示するようになっていても良い。
【０１００】
また、ストック機能付のパチスロ遊技機の場合、次の特別遊技状態発生までのゲーム回数を表示するようにしても良い。このときには、「次のＢＢ状態発生までのスタート回数は、（電話番号の下２桁目（百桁目の値））（暗証番号の下１桁目（十桁目の値））（生年月日の日（一桁目の値））です。」のような表示が行われても良い。
なお、当選権利に関する情報を表示する場合には、中央管理装置からサービス情報を端末装置に送信する構成ではなく、端末装置自体で当選権利に関する情報を管理して、中央管理装置からの情報なしでサービス情報を提供するようにしても良い。
【０１０１】
その後、遊技を終了したり、遊技する遊技機１００を移動したりする場合に、会員カードが抜き取られた場合、ステップＳ１８にて遊技が終了又は中断したと判定し、ステップＳ１９に移行する。なお、ここでの遊技終了は、例えば、タッチパネル操作部２５に形成された遊技終了操作ボタン（図示省略）を押圧操作して会員カードを抜き取ること等により判定されても良い。
【０１０２】
そして、ステップＳ１９では、遊技を終了した端末装置２より、当該端末装置２のアドレスデータ、遊技終了データ（遊技の終了を示すデータ）、当該端末装置２にて更新された会員情報（途中遊技情報としての遊技情報（この実施の形態では、遊技媒体消費データ１、遊技媒体消費データ２及び経過時間データ）やサービスポイントデータ等）などが中央管理装置４に送信（返送）される。
【０１０３】
一方、管理装置（中央管理装置４）側では、図３の（ｂ）に示すように、まず、会員情報送信要求があるか否かの判定を行い（ステップＳ２１）、端末装置２から会員特定情報等が送信されてきたら（図３の（ａ）におけるステップＳ１２）、当該要求があったと判断し、アドレスデータ及び会員特定情報を受信してＲＡＭ４３に記憶する。
さらに、中央管理装置４では、記憶した会員特定情報（会員を特定する会員番号等の情報）と対応付けされた会員情報を、ＣＰＵ４１が会員情報記憶部（会員情報記憶手段）４５内より検索して読み出す。さらに、ＣＰＵ４１は、この読み出した会員情報の一部（例えば、サービスポイントの更新データや、貯遊技媒体データ、本日最初のカード挿入がどうかの判定データ、途中遊技情報としての遊技媒体消費データ１，２（使用遊技媒体信号による消費したメダル数データ）、途中遊技情報としての経過時間データ等）を、先に記憶したアドレスデータに対応する端末装置２に送信する（ステップＳ２２）。
【０１０４】
また、会員がタッチパネル操作部２５を操作してサービス情報の要求を行い（図３の（ａ）におけるステップＳ１３）、これに基づき、端末装置２から中央管理装置４に対してサービス情報の要求がなされた場合（図３の（ａ）におけるステップＳ１４）には、中央管理装置４では、性能情報提供手段によるサービス情報作成処理を行う（ステップＳ２３）。
【０１０５】
サ−ビス情報作成処理では、図４に示すように、まず、サービス情報の要求があるか否かの判定を行う（ステップＳ３１）。ここで、サービス情報の要求があると判断された場合には、次に要求した会員の特定情報から該当会員情報を抽出（ステップＳ３２）し、端末装置のアドレスデータから対応する遊技機の確率設定情報を抽出（ステップＳ３３）する。次に、前記抽出した会員情報及び確率設定情報などから個別認識情報の作成（ステップＳ３４）を行う。そして、作成した個別認識情報をサービス情報として、他の情報（会員情報等）と共に送信（ステップＳ３５）する。
【０１０６】
ここで、前記個別認識情報の作成について説明する。
この実施の形態においては、性能情報は、特定の会員のみに提供され、他の遊技者には提供されないようになっている。すなわち、他人に当該性能情報を知られないように、前記性能情報提供手段は、確率設定値等の前記性能情報を、前記会員情報記憶手段で記憶されている該性能情報の提供対象となる遊技者の会員情報に関連づけることで、当該遊技者のみが該性能情報を認識可能な個別認識情報を生成する個別認識情報生成手段を含み、該個別認識情報によるサービス情報を提供することで前記性能情報を該当する遊技者のみに提供するようにしている。
【０１０７】
具体的には、会員情報記憶手段（ここでは、図２に示す会員情報記憶部４５）では、会員情報として、当該会員の氏名、生年月日、電話番号、暗証番号等を有している。また、遊技機性能情報管理手段（ここでは、図２に示すＣＰＵ４１及び遊技機性能情報記憶部４８で構成されている）の遊技機性能情報記憶部４８が性能情報（ここでは、確率設定値）を有している。
【０１０８】
そして、性能情報提供手段の個別認識情報生成手段で、前記性能情報（確率設定値）の数字を、前記会員情報記憶手段における当該遊技者の会員情報に関連付けて、当該会員のみがその数字を認識可能な個別認識情報を生成する。ここでは個別認識情報の生成に当たり、当該確率設定値の数字と、当該会員の会員情報における種々の数字とを比較判定し、確率設定値の数字となる会員情報を選択する。例えば、１．暗証番号の下１桁目の数字、２．生年月日の日の下１桁目の数字、３．生年月日の月の下１桁目の数字、４．電話番号の下１桁目の数字、５．暗証番号の下２桁目の数字、６．暗証番号の下３桁目の数字、７．暗証番号の下４桁目の数字の順で確率設定値（性能情報）の数字と比較判定を行い、該当する項目に関連した個別認識情報を生成してサ−ビス情報を作成する。例えば、確率設定値が３、会員情報における生年月日の日の数字が３である場合に、図１０に示すように、「該当台の確率設定値は、お客様の生年月日の日と同じ値です。」というような個別認識情報を生成し、これをサービス情報とする。
【０１０９】
なお、前記の判定順序は秘密性が高く、認識性が高い順に個別認識情報を生成するための一例である。また、前記した比較判定では確率設定値（性能情報）の数字と同一の値が存在しなかった場合には、比較判定順位の高い数字と確率設定値を演算し、該数字の＋１や＋２、−１や−２等の情報を作成する。例えば、確率設定値が３、会員情報における生年月日の日の数字が４である場合に、「該当台の確率設定値は、お客様の生年月日の日−１の値です。」というような個別認識情報を生成し、これをサービス情報とする。
【０１１０】
さらに、種々の数字に対応した個別認識情報の生成については、予め前記会員情報の各種番号を基に作成してあっても良い。例えば、暗証番号の下１桁目の数字、生年月日の日の下１桁目の数字、生年月日の月の下１桁目の数字、電話番号の下１桁目の数字、暗証番号の下２桁目の数字、暗証番号の下３桁目の数字、暗証番号の下４桁目の数字などを抽出し、これらで例えば０〜９の数字（もっと多くの数字が構成されるようになっていても良い）が構成されれば、それを記憶しておけばよい。また、構成されない数字が生じる場合には、暗証番号の下１桁目の数字−１や、暗証番号の下１桁目の数字＋１等を行って０〜９の数字を作成すれば良い。そして、予め作成しておいた個別認識情報の中からそのときの確率設定値等の性能情報と対応する情報を選択して、サービス情報とすれば良い。
【０１１１】
なお、１回サービス情報の取得を行った場合には、当日はサービスポイントの更なる減算（消費）なしで、台移動しても移動先の台に関するサービス情報を無制限に取得可能としても良い。このようにすることにより、低設定（例えば所定設定値（２）以下）台での情報を取得した場合には、それほど遊技者に有利とならないことによる不満を解消することができる。なお、この場合に、無制限ではなく、複数回の制限を設けても良い。また、所定設定値以下の遊技機でのサービス情報を取得した場合のみ、他の遊技機でのサービス情報を取得許可するようにしても良い。
【０１１２】
また、中央管理装置４では、会員情報が受信（遊技終了に基づくデータの受信）されたか否かの判定を行っており（ステップＳ２４）、前記遊技終了データを伴う会員情報（図３の（ａ）におけるステップＳ１９）が受信されると、受信したアドレスデータと一致するアドレスデータ及び該アドレスデータと併せて記憶された会員特定情報（つまり、上記ステップＳ２２にて記憶されたアドレスデータ及び会員番号等の情報）をＲＡＭ４３より消去する一方で、受信した会員情報から遊技機性能情報記憶部４８に記憶されている該当する遊技台（遊技機）の確率設定値を抽出し（ステップＳ２５）、これに基づき、会員情報記憶部４５に記憶されている該当する会員情報（会員情報のうち、来歴情報、サービスポイント、貯遊技媒体情報及び遊技情報（途中遊技情報））を更新して記憶保持する（ステップＳ２６）。
つまり、遊技機１００での遊技の終了後は、会員情報を端末装置２から移動させ、再び中央管理装置４にて管理する。
【０１１３】
なお、前記サービス情報が要求される場合としては、前記した場合に限らず、例えば、遊技機において次の特別遊技状態を発生させるために実行されているゲーム回数が所定数に達したときなど、遊技者が不利な状態となった場合に、その補償として自動的に要求されるようになっていても良い。具体的には、図１４に示すように、通常遊技の際には、現在のゲーム回数とサービス情報提供の所定数（設定値）との判定を判定手段としての端末装置２が行い、情報表示装置２６において、ゲーム回数が所定数（ここでは、１０００回）に達したときにはサービス情報が提供される旨の報知がなされている。そして、ゲーム回数が所定数に達した場合には、図１５に示すように、自動的にサービス情報が中央管理装置４に対して要求されて性能情報提供手段によりサービス情報が提供されるようになっている場合である。なお、ゲーム回数が所定数に達するとは、電源が投入されてから通算で所定数に達した場合（大当たりがあったか否かに拘わらず）や、大当たりの発生しない連続ゲーム回数が所定数に達した場合等が挙げられる。
さらに、前記ゲーム回数が所定数に達したときでも、サービス情報が自動的に要求されるだけでなく、要求をするか否かを遊技者が判断できるようになっていても良い。そして、この際に要求をしない場合には、要求権利を後に保留可能になっていても良い。
また、サービス提供までのゲーム回数が所定条件（遊技店で定められた設定条件や、遊技機の種類（機種）に基づく条件）により変更可能となっていても良い。
【０１１４】
以上のように、この実施の形態における会員管理装置は、遊技者にとって有利な特別遊技状態を発生可能に構成された遊技機が複数設置される遊技店において会員として登録された遊技者を管理する会員管理装置において、会員登録された遊技者に対して、遊技店におけるサービスの提供に関連したサービスポイントを付与するサービスポイント付与手段を備え、前記サービスポイント付与手段は、サービスポイントの付与対象となる会員登録された遊技者の固有条件に応じてサービスポイントの付与態様を変更するサービスポイント付与態様変更手段を含んでいる。
【０１１５】
従って、この実施の形態における会員管理装置によれば、遊技店への貢献度に応じて会員にサービスポイントを付与することができ、これにより、会員が満足するようなサービスを提供でき、会員の来店回数を増加させることができる。
【０１１６】
また、この実施の形態では、前記サービスポイント付与態様変更手段は、会員による単位時間当たりの遊技媒体の消費量に応じてサービスポイントの付与態様を変更する。
【０１１７】
従って、この実施の形態では、遊技媒体の消費量の多い会員に対して優遇してサービスポイントを付与することができ、これにより、遊技媒体の消費量の多い会員に対して価値の高いサービスを提供でき、会員の来店回数を増加させることができる。
【０１１８】
さらに、この実施の形態では、前記サービスポイント付与手段は、会員の遊技店への来店に応じてサービスポイントとしての来店ポイントを付与する来店ポイント付与手段と、会員の遊技中における所定条件の成立によりサービスポイントとしての遊技ポイントを付与する遊技ポイント付与手段と、を有し、前記サービスポイント付与態様変更手段は、所定期間において前記来店ポイント付与手段により付与された来店ポイント数に応じて、前記遊技ポイント付与手段による遊技ポイントの付与態様を変更する。
【０１１９】
従って、この実施の形態では、来店回数の多い会員に対して優遇してサービスポイントを付与でき、これにより、来店回数の多い会員に対して価値の高いサービスを提供でき、会員の来店回数を増加させることができる。しかも、来店回数の多い会員に対して単純に来店ポイントを増加させるのではなく、遊技中の条件に応じて付与される遊技ポイントを優遇させるようにしたため、来店してさらに遊技をした真に遊技店への貢献度が高い会員に対して優遇したサービスポイントの付与を行うことができる。
【０１２０】
またさらに、この実施の形態では、前記遊技ポイント付与手段は、前記所定条件を成立させるための遊技情報を記憶する記憶手段を有し、会員が一旦当該会員管理装置と非アクセス状態となった場合でも前記記憶手段に途中遊技情報を記憶させ、会員が再び当該会員管理装置とアクセス状態となった場合には前記記憶手段に記憶されている途中遊技情報を用いて前記所定条件の成立を監視するようにした。
【０１２１】
従って、この実施の形態では、例えば、遊技時間３０分でサービスポイントを１ポイント付与するような設定において、遊技時間が３０分になる寸前（例えば、２５分）で遊技を終了した場合でも、その２５分の遊技時間は記憶されて次回の遊技の際にサービスポイントの付与に反映される、即ち、次回５分の遊技で１ポイント付与されるため、遊技時間とサービスポイント付与の関係で会員が不満を持つことを防止することができる。
【０１２２】
また、この実施の形態では、前記遊技機は、複数の識別情報を変動表示可能な変動表示装置と、前記変動表示装置での変動表示を伴うゲームの実行毎に特別入賞を内部的に抽選する抽選手段と、前記抽選手段の抽選結果により特別入賞が当選していることを条件に実行されたゲームにおいて、特定条件が成立した場合に当該特別入賞を成立し得るようにする特別入賞成立可能化手段と、を有するパチスロ遊技機であり、前記サービスポイント付与態様変更手段は、前記当選している特別入賞を成立させるまでの浪費に応じてサービスポイントの付与態様を変更する。
【０１２３】
従って、この実施の形態では、例えば、遊技に対する技量が低い遊技者は、当選している特別入賞を成立させるまでの浪費が遊技に対する技量の高い遊技者よりも多くなるが、このような遊技者（会員）に優遇してサービスポイントを付与すれば、浪費の補償ができるので、遊技に対する技量の低い会員の来店回数を増加させることができる。
或いは、逆に遊技に対する技量の高い会員に優遇してサービスポイントを付与すれば、遊技者の遊技技量に対して価値を与えることができ、遊技に対する技量の高い会員の来店回数を増加させることができる。
【０１２４】
さらに、この実施の形態では、前記会員管理装置は、前記遊技機の近傍に配設され、会員が保有する会員記憶媒体から会員特定情報を取得する端末装置と、複数の端末装置からの情報を受信する中央管理装置と、から構成されている。
【０１２５】
従って、この実施の形態では、会員が保有する会員記憶媒体からの会員特定情報の取得と、複数の会員における多大なデータの管理とを効率の良い構成で確実に行うことができる。また、サービスの提供として所定のサービス情報を表示により提供する場合には、端末装置に情報表示装置を備えることにより確実に会員にサービスを提供できる。
【０１２６】
また、この実施の形態では、遊技者にとって有利な特別遊技状態を発生可能に構成された遊技機が複数設置される遊技店において会員として登録された遊技者を管理する会員管理装置において、会員登録された遊技者固有の会員情報を記憶する会員情報記憶手段と、前記遊技機において変化する特別遊技状態の発生に関する性能情報を管理する遊技機性能情報管理手段と、前記遊技機性能情報管理手段により管理されている性能情報を、会員登録された遊技者に提供する性能情報提供手段と、を備え、前記性能情報提供手段は、前記性能情報を、前記会員情報記憶手段で記憶されている該性能情報の提供対象となる遊技者の会員情報に関連づけることで、当該遊技者のみが該性能情報を認識可能な個別認識情報を生成する個別認識情報生成手段を含み、該個別認識情報により前記性能情報を該当する遊技者のみに提供する。
【０１２７】
ここで、「会員情報」とは、例えば、会員の氏名、年齢、生年月日、電話番号、星座、血液型や、会員によって登録された暗証番号などをいう。
また、「性能情報」としては、現在の特別遊技状態（パチンコ遊技機の変動入賞装置が開放する遊技状態、パチスロ遊技機のボーナス入賞等）に対する確率設定値、パチスロ遊技機における現在のボーナス入賞のストック数、次のストック放出までのスタート回数、ＡＴ状態の確率設定値などの情報が挙げられる。
【０１２８】
従って、この実施の形態では、性能情報を他の遊技者に知られることなく特定の遊技者のみに提供することができ、これにより、提供対象である特定の遊技者以外の遊技者に性能情報が提供されて遊技店に不利益を生じさせたり、提供対象である特定の遊技者以外の遊技者に性能情報が提供されることで当該特定の遊技者のみが特典を得られずに当該特定の遊技者に不満を生じさせたりすることを防止できる。
【０１２９】
特に、「遊技機が複数設置されている遊技店」が「遊技機が島設備に近接して複数列設されている遊技店」である場合には、特定の遊技者に対して提供された性能情報を他の遊技者が知ってしまう可能性が高くなり、この様な場合に非常に効果的であると言える。
【０１３０】
さらに、この実施の形態では、前記遊技機は、遊技者にとって有利な特別遊技状態が発生する確率を複数段階で設定可能な確率設定手段を備えて構成され、前記性能情報は、前記確率設定手段で設定されている確率設定に関する情報である。
【０１３１】
ここで、「確率設定に関する情報」としては、確率設定のレベル（段階）を示す値（例えば、設定３や設定６などで、それぞれの設定値には予め確率が割り当てられている）である場合、確率設定の値そのままの情報（例えば、１／２４０や１／３６０など）である場合、確率設定のレベルを限定できる情報（例えば、確率設定値（確率設定のレベル）の範囲１〜６に対して「２，４，６のどれか」、「５，６のどちらか」、「３以上」など）である場合等が考えられる。
また、遊技機性能情報管理手段における遊技機での確率設定に関する情報の管理は、各遊技機から確率設定に関する情報が管理装置側に出力されるようになっていて管理装置が前記情報の信号を入力することに基づき遊技機性能情報管理手段で前記情報を管理する場合と、管理装置側の入力装置で各遊技機における確率設定に関する情報を入力（手入力）する場合とが挙げられる。
【０１３２】
従って、この実施の形態では、確率設定に関する情報の提供により、有効なサービスを特定の遊技者に確実に提供することができる。また、確率設定に関する情報は、遊技店の営業上非常に重要で秘密性の高い情報であり、このような情報を他の遊技者に知られないようにできるので、安心して提供できる。
【０１３３】
またさらに、この実施の形態では、前記遊技機は、複数の識別情報を変動表示可能な変動表示装置と、前記変動表示装置での変動表示を伴うゲームの実行毎に特別入賞を内部的に抽選する抽選手段と、前記抽選手段の抽選結果により特別入賞が当選していることを条件に実行されたゲームにおいて、特定条件が成立した場合に当該特別入賞を成立し得るようにする特別入賞成立可能化手段と、前記特定条件が成立するまでに実行されるゲームにおいて前記抽選手段による再度の特別入賞の当選を許容し、該再度の特別入賞の当選が生じた際には当該特別入賞の当選を未成立の当選権利として記憶可能な特別入賞当選記憶手段と、を備え、該特別入賞が成立した場合に前記特別遊技状態が発生するように構成され、前記遊技機性能情報管理手段は、前記性能情報として前記特別入賞当選記憶手段に記憶されている当選権利に関する情報を管理する。
【０１３４】
ここで、「特定条件の成立」としては、所定数のゲームの実行や、所定の小役入賞の当選或いは成立等が挙げられる。
また、「特別入賞を成立し得るようにする」とは、例えば、ゲーム停止操作手段を有するパチスロ遊技機において特定のゲーム停止操作を行えば特別入賞を成立させる識別情報の組み合わせ態様が形成可能な状態にする等の場合が挙げられる。
さらに、「特別入賞当選記憶手段で記憶されている当選権利に関する情報」すなわちストック情報としては、特別入賞（ボーナス入賞）の当選権利数（ストック数）や、次の特別入賞が成立し得る状態（特定条件の成立）となるまでのスタート（ゲーム実行）数等が挙げられる。
またさらに、前記ストック情報の管理としては、各遊技機からストック情報に関する外部信号を管理装置に出力し、管理装置に入力された前記信号に基づき遊技機性能情報管理手段で上記情報を管理する場合と、例えば閉店後に、遊技機で記憶されているストック情報を確認し、各遊技機におけるストック情報を管理装置に入力（手入力）することで管理する場合とが挙げられる。
【０１３５】
ここで、当選した特別入賞をすぐに成立させないでその特別入賞の当選権利を内部的に複数記憶して、特定条件が成立した場合に特別入賞を成立させる機能、所謂、ストック機能を有するパチスロ遊技機が知られているが、このような遊技機においては、特別入賞の当選権利の数（ストック数）や次の特別入賞が成立し得る状態となるまでのゲーム数等が遊技者の利益に影響を及ぼすことになる。
そこで、この実施の形態では、性能情報として遊技機で記憶されている特別入賞の当選権利に関する情報、即ち、特別入賞の当選権利の数（ストック数）や次の特別入賞が成立し得る状態となるまでのゲーム数等を提供可能であるため、有効なサービスを特定の遊技者に確実に提供することができる。
【０１３６】
また、この実施の形態では、前記遊技機は、前記抽選手段の抽選結果により特別入賞が当選したことを特定可能な特別入賞当選信号を前記会員管理装置側に出力する特別入賞当選信号出力手段と、前記特別入賞が成立した場合に該特別入賞が成立したことを特定可能な特別入賞成立信号を前記会員管理装置側に出力する特別入賞成立信号出力手段と、を備え、前記遊技機性能情報管理手段は、前記特別入賞当選信号と前記特別入賞成立信号に基づいて、前記特別入賞当選記憶手段で記憶されている特別入賞の当選権利数を管理する。
【０１３７】
ここで、「会員管理装置側に出力する」とは、会員管理装置に直接出力する場合と、会員管理装置に間接的に出力する（中継手段を介して出力する）場合とが挙げられる。
【０１３８】
従って、この実施の形態では、特別入賞当選信号により特別入賞の当選数の合計を管理でき、この値から特別入賞成立信号により算出した既に成立済の特別入賞分を減算することで、特別入賞当選記憶手段で記憶されている特別入賞の当選権利数を算出できる。これにより、遊技機の性能情報として特別入賞の当選権利数を管理することができ、遊技者に有効なサービスとして特別入賞の当選権利数を開示することができる。
【０１３９】
さらに、この実施の形態では、前記性能情報提供手段は、会員登録された遊技者に所定のサービスを付与するためのサービスポイントが所定数に達した場合に、前記性能情報を提供する。
【０１４０】
従って、この実施の形態では、サービスポイントが所定数に達した遊技者、すなわち、遊技店への来店回数が多い遊技者、遊技時間が多い遊技者等の遊技店への貢献度の高い遊技者に対して、遊技機の性能情報を提供できることとなり、これにより、会員の来店回数を更に多くすることができる。
【０１４１】
またさらに、この実施の形態では、前記性能情報提供手段は、遊技機において次の特別遊技状態を発生させるために実行されているゲーム回数が所定数に達した場合に、前記性能情報を提供する。
【０１４２】
ここで、「遊技機において次の特別遊技状態を発生させるために実行されているゲーム回数」としては、前回の特別遊技状態終了後から現在までのゲーム回数や、開店時（電源投入）から特別遊技状態が発生していない状態での現在までのゲーム回数等が挙げられる。
また、特別遊技状態が発生したときに、前回の特別遊技状態の発生から今回の特別遊技状態が発生するまでに実行されたゲーム回数が所定数であった場合或いは所定数以上であった場合に、性能情報を提供するようにしても良い。
【０１４３】
従って、この実施の形態では、例えば、次の特別遊技状態が発生するまでのゲーム回数が多い遊技機等は、遊技者に敬遠されることが多いが、特定のゲーム回数（例えば、１０００回）に達した場合にサービスとして性能情報を提供するようにすれば、このような遊技者に対してその補償としてサービスを提供でき、遊技機の稼働率の低下を防止することもできる。
【０１４４】
また、この実施の形態では、前記会員管理装置は、前記遊技機毎に配設されるとともに該遊技機の近傍に配設され、会員登録された遊技者が保有する会員記憶媒体から会員を特定する情報を取得する端末装置と、複数の端末装置からの情報を受信する中央管理装置と、から構成され、前記性能情報提供手段は、前記端末装置に設けられる情報表示装置を含み、該情報表示装置での表示情報により前記性能情報を提供する。
【０１４５】
従って、この実施の形態では、会員登録された遊技者が保有する会員記憶媒体からの会員特定情報の取得と、複数の会員における多大なデータの管理とを効率の良い構成で確実に行うことができる。また、性能情報を表示により提供するので確実に遊技者にサービスを提供できる上、他の遊技者に情報が漏れることもない。
特に、島設備に複数列設されている各遊技機の間に端末装置が配設されていて、その端末装置の情報表示装置で表示情報により性能情報を提供する場合には、他の遊技者（例えば、隣の遊技者）にもその表示が見えてしまうが、性能情報は特定の遊技者しか認識できないので、他の遊技者に性能情報が漏れることがない。
【０１４６】
なお、上記においては、会員管理装置１は、複数の中継装置３を介して中央管理装置４と端末装置２が接続され、さらに端末装置２の先に遊技機１００が接続されるようになっており、送受信される情報に関して、中央管理装置４と遊技機１００の間に常に端末装置２及び中継装置３が介在していたが、これに限るものではない。
例えば、遊技機１００から性能情報を中央管理装置４へ送信する際に、該性能情報を、端末装置２を介さないで直接（或いは、他の装置を介して）中央管理装置４へ送信するようにしても良い。
さらに、中央管理装置４が、中継装置を介さずに複数の端末装置２との間で直接通信が可能な装置であっても良い。
またさらに、この実施の形態では、中継装置３を複数の遊技機毎（島毎）に設けていたが、各遊技機毎に中継装置３を設けるようにしてもよい。
なお、端末装置と遊技機が一体となっている場合も考えられる。
【０１４７】
また、本発明における遊技機はこの実施の形態で説明したようなパチスロ遊技機（スロットマシン）に限られるものではなく、例えば、パチンコ遊技機、アレンジボール遊技機、雀球遊技機などの弾球遊技機や、その他の遊技機であっても良い。
【０１４８】
加えて、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１４９】
【発明の効果】
本発明によれば、遊技店への貢献度に応じて会員にサービスポイントを付与することができ、これにより、会員が満足するようなサービスを提供でき、会員の来店回数を増加させることができる。
【図面の簡単な説明】
【図１】会員管理装置の概略図である。
【図２】会員管理装置のブロック図である。
【図３】会員管理装置の中央管理装置と端末装置における会員情報等に関する処理の流れを示すフローチャートである。
【図４】サービス情報作成処理を示すフローチャートである。
【図５】サービスポイント更新処理の第１例を示すフローチャートである。
【図６】サービスポイント更新処理の第２例を示すフローチャートである。
【図７】端末装置の情報表示装置において当該端末装置に接続された遊技機の遊技データを表示した画面表示の一例を示す図である。
【図８】端末装置の情報表示装置におけるポイントサービスの選択画面の表示例を示す図である。
【図９】図８の選択画面においてサービス情報の提供を選択した際のデータ取込中の画面表示例を示す図である。
【図１０】端末装置の情報表示装置におけるサービス情報の提供画面の第１表示例を示す図である。
【図１１】端末装置の情報表示装置におけるサービス情報の提供画面の第２表示例を示す図である。
【図１２】端末装置の情報表示装置におけるサービス情報の提供画面の第３表示例を示す図である。
【図１３】端末装置の情報表示装置におけるサービス情報の提供画面の第４表示例を示す図である。
【図１４】端末装置の情報表示装置において遊技機のゲーム回数が所定数に達した場合にサービス情報を提供することを報知する画面表示の一例を示す図である。
【図１５】遊技機のゲーム回数が所定数に達してサービス情報のデータを取込中の端末装置の情報表示装置における画面表示例を示す図である。
【図１６】図８の選択画面において詳細を選択した際に表示されるサービスポイントの内容の詳細表示画面の第１表示例を示す図である。
【図１７】図８の選択画面において詳細を選択した際に表示されるサービスポイントの内容の詳細表示画面の第２表示例を示す図である。
【図１８】単位時間当たりの遊技媒体消費量と当該消費量に応じて付与される遊技ポイント数との関係を示す表である。
【図１９】所定期間における来店ポイント数と当該来店ポイント数に応じて付与される遊技ポイント数との関係を示す表である。
【図２０】当選している特別入賞を成立させるまでの遊技媒体の浪費量と当該浪費量に応じて付与される遊技ポイント数との関係を示す表である。
【符号の説明】
１      会員管理装置
２      端末装置（サービスポイント付与手段、サービスポイント付与態様変更手段、来店ポイント付与手段、遊技ポイント付与手段）
２３    ＲＡＭ（記憶手段）
２６    液晶表示部（情報表示装置、性能情報提供手段）
４      中央管理装置（サービスポイント付与手段、サービスポイント付与態様変更手段、遊技ポイント付与手段、遊技機性能情報管理手段、性能情報提供手段、個別認識情報生成手段）
４５    会員情報記憶部（会員情報記憶手段、記憶手段）
１００  遊技機（変動表示装置、抽選手段、特別入賞成立可能化手段、確率設定手段、特別入賞当選記憶手段、特別入賞当選信号出力手段、特別入賞成立信号出力手段）
【図１】
2004305376.tif 000003
【図２】
2004305376.tif 000004
【図３】
2004305376.tif 000005
【図４】
2004305376.tif 000006
【図５】
2004305376.tif 000007
【図６】
2004305376.tif 000008
【図７】
2004305376.tif 000009
【図８】
2004305376.tif 000010
【図９】
2004305376.tif 000011
【図１０】
2004305376.tif 000012
【図１１】
2004305376.tif 000013
【図１２】
2004305376.tif 000014
【図１３】
2004305376.tif 000015
【図１４】
2004305376.tif 000016
【図１５】
2004305376.tif 000017
【図１６】
2004305376.tif 000018
【図１７】
2004305376.tif 000019
【図１８】
2004305376.tif 000020
【図１９】
2004305376.tif 000021
【図２０】
2004305376.tif 000022